(57)【要約】【課題】金属等を多く使用した重量物で沈潜力の大きな疑似餌を浅瀬や砂浜で海底を曳きずることなく中層や上層で泳がすことが出来る水流抵抗板を提供する。【解決手段】水流抵抗板１３の長手方向の中心線６０にライン孔５２を備え一端には水流抵抗抜き凹部３１を備え、中心線６０と弾性ゴム止着孔４１の中心線（図示せず）が重なるように弾性ゴム止着孔４１を水流抵抗面１８に貫通させて備え、ライン孔５２には水流抵抗抜き凹部３１にライン孔入口８４及び水流抵抗板１３の一端にライン孔出口４９を備え、矢印Ａは釣り竿方向で矢印Ａ方向から延びたライン５がライン孔入口８４から挿入され、弾性ゴム止着孔４１でライン５は弾性ゴム６に止着されライン孔出口４９から出たライン５は矢印Ｂ方向の疑似餌に結着される。【選択図】図５
0003189501.tif 000002
【実用新案登録請求の範囲】
【請求項１】
水流抵抗板の中心線にライン孔を備え、前記中心線を対称軸とする線対称な水流抵抗面で構成されていることを特徴とする水流抵抗板。
【請求項２】
水流抵抗板のライン孔の一端から中心点に向かって水流抵抗抜き凹部を備えたことを特徴とする請求項１記載の水流抵抗板。
【請求項３】
水流抵抗板の中心線と弾性ゴム止着孔の中心線が重なるように弾性ゴム止着孔を水流抵抗面に貫通させたことを特徴とする請求項１記載の水流抵抗板。
【請求項４】
水流抵抗板の水流抵抗面を貫通するように複数の水流抵抗抜き孔を備えたことを特徴とする請求項１記載の水流抵抗板。
【請求項５】
請求項２記載の水流抵抗板と請求項３記載の水流抵抗板を併せ持つことを特徴とする水流抵抗板。
【請求項６】
請求項２記載の水流抵抗板と請求項３記載の水流抵抗板及び請求項４記載の水流抵抗板を併せ持つことを特徴とする水流抵抗板。
【考案の詳細な説明】
【技術分野】
【０００１】本考案は釣り具の水流抵抗板に関する。
【背景技術】
【０００２】従来から魚釣りに使用されている疑似餌を遠くへ飛ばす方法の一つとして金属等を多く使用した重量物疑似餌がある。【０００３】遠投は出来るが水中では沈潜力が大きく中層や上層で泳がせるのが困難であった。【０００４】その結果、砂浜や浅瀬では海底や湖底などを引きずりながら金属等を多く使用した重量物疑似餌を泳がせていたため、根掛かりが頻繁に発生した。【０００５】特開平１１−２３５１３７公報には羽を取り付けたジグヘッドが紹介されているが、空中の飛行姿勢で羽が空気抵抗を受けて本来の目的の一つである遠投が難しくなり、羽が変形した場合、ジグヘッドに回転運動が発生する。
【先行技術文献】
【特許文献】
【０００６】
【特許文献２】特開平１１−２３５１３７公報
【考案の概要】
【考案が解決しようとする課題】
【０００７】本考案の課題は砂浜や浅瀬で金属等を多く使用した重量物で沈潜力の大きな疑似餌を中層や上層で泳がすことができる水流抵抗板を提供する。
【課題を解決するための手段】
【０００８】本考案に係る水流抵抗板は、魚釣りに用いられ、水流抵抗板の中心線にライン孔を備え、前記中心線を対称軸とする線対称な水流抵抗面で構成されている点にある。【０００９】また、本考案の水流抵抗板の他の特徴とするところは、水流抵抗板の中心線にライン孔を備えた前記水流抵抗板であって、前記ライン孔の一端から中心点に向かって水流抵抗抜き凹部を備えている点にある。【００１０】また、本考案の水流抵抗板の他の特徴とするところは、水流抵抗板の中心線にライン孔を備えた前記水流抵抗板であって、前記中心線と弾性ゴム止着孔の中心線が重なるように弾性ゴム止着孔を水流抵抗面に貫通させ備えている点にある。【００１１】また、本考案の水流抵抗板の他の特徴とするところは、水流抵抗板の中心線にライン孔を備えた前記水流抵抗板であって、複数の水流抵抗抜き孔を前記水流抵抗板の水流抵抗面に前記中心線を対称軸とする線対称な位置で貫通させ備えている点にある。【００１２】また、最も好ましい本考案の水流抵抗板の他の特徴とするところは、水流抵抗板の中心線にライン孔を備え、前記ライン孔の一端から中心点に向かって水流抵抗抜き凹部を備え、前記中心線と弾性ゴム止着孔の中心線が重なるように前記弾性ゴム止着孔を前記水流抵抗抜き凹部と重ならないように水流抵抗面に貫通させて備えている点にあり、前記水流抵抗板に釣り竿から出されたラインを前記水流抵抗抜き凹部に備えられたライン孔入口から挿通し、前記弾性ゴム止着孔で前記ラインに弾性ゴムを止着し、ライン孔出口から出た前記ラインの先端に金属等を多く使用した重量物の疑似餌を取り付けた仕掛けを前記釣り竿のリールで巻き取れば、前記水流抵抗板は水流抵抗を受け浮上する。【００１３】また、前記最も好ましい本考案の前記水流抵抗板のライン孔入口が前記ラインとの支点であり、前記支点から長手方向のライン孔出口方向の水流抵抗面が水流抵抗を受けて前記水流抵抗板を水平姿勢に移行させようとするが、前記支点から前記長手方向のライン孔出口と反対方向の前記水流抵抗抜き凹部両横の水流抵抗面が水流抵抗を受けて前記支点で前記水流抵抗板を垂直姿勢に戻そうとする反作用が働く、その結果、前記水流抵抗板の水流抵抗面は水流抵抗を受けるが水平姿勢になりづらく、金属等を多く使用した重量物の疑似餌を効率よく浮上させることができる。【００１４】さらに前記最も好ましい本考案の前記水流抵抗板と前記金属等を多く使用した重量物である疑似餌を組み合わせた仕掛を遠投した場合、空中では前記水流抵抗板の空気抵抗が小さく、水中では前記水流抵抗板の水流抵抗が大きく作用する。【００１５】さらに前記最も好ましい本考案の前記水流抵抗板の前記弾性ゴム止着孔で前記ラインに前記弾性ゴムを止着した前記水流抵抗板は回転自在で糸よれを発生させることがない。【００１６】さらに前記最も好ましい本考案の前記水流抵抗板の前記弾性ゴム止着孔で前記ラインに前記弾性ゴムを止着した前記弾性ゴムは人動で前記ライン上を移動させることが出来るため、前記水流抵抗板と前記金属等を多く使用した重量物である疑似餌の間隔は調整可能である。
【考案の効果】
【００１７】砂浜や浅瀬で金属等を多く使用した重量物である疑似餌を遠くに飛ばした場合、疑似餌は海底や湖底などを引きずり中層や上層を泳がすことができず根掛かりを頻繁に起こしていたが、本考案の水流抵抗板を用いれば海底や湖底などから浮上させ中層や上層を泳がすことができ、また、前記水流抵抗板は水面で水流抵抗抜き凹部から水しぶきを上げて水流が抜け出るため、魚の興味を引き付け低層や中層及び上層で生息する魚を広く釣ることができる。
【図面の簡単な説明】
【００１８】
【図１】図１は本考案の第１の実施形態に係る水流抵抗板の正面図である。
【図２】図２は本考案の第２の実施形態に係る水流抵抗板で水流抵抗抜き凹部を備えた正面図である。
【図３】図３は本考案の第３の実施形態に係る水流抵抗板で弾性ゴム止着孔を備えた正面図である。
【図４】図４は本考案の第４の実施形態に係る水流抵抗板で複数の水流抵抗抜き孔を備えた正面図である。
【図５】図５は本考案の第５の実施形態に係る水流抵抗板で水流抵抗抜き凹部と弾性ゴム止着孔を備え、その水流抵抗板にラインを挿通し、弾性ゴム止着孔でラインに弾性ゴムを止着した正面図である。
【図６】図６は本考案の第５の実施形態に係る水流抵抗板でライン及び弾性ゴムを除いた斜視図である。
【考案を実施するための形態】
【００１９】本考案の水流抵抗板は中心線にライン孔を有し、前記中心線を対称軸とし線対称な水流抵抗面で構成されている。以下、本考案の実施形態を図面に基づいて具体的に説明する。
【実施例】
【００２０】図１は本考案の第１の実施形態に係る水流抵抗面１４を有する水流抵抗板１を示す正面図であり、水流抵抗板１の長手方向の中心線２０にライン孔入口８及びライン孔出口９を有するライン孔２を備えてある。【００２１】図２は本考案の第２の実施形態に係る水流抵抗面１５を有する水流抵抗板１０を示す正面図であり、水流抵抗板１０の長手方向の中心線３０にライン孔２２を備え、ライン孔２２の一端に水流抵抗抜き凹部３を設け、ライン孔２２には水流抵抗抜き凹部３にライン孔入口８１及び水流抵抗板１０のもう一端にライン孔出口１９を備えてある。【００２２】図３は本考案の第３の実施形態に係る水流抵抗面１６を有する水流抵抗板１１を示す正面図であり、水流抵抗板１１の長手方向の中心線４０にライン孔３２を備え一端にライン孔入口８２をもう一端にライン孔出口２９を有し、中心線４０に弾性ゴム止着孔４の中心線が重なるように弾性ゴム止着孔４を水流抵抗面１６に貫通させて備えてある。【００２３】図４は本考案の第４の実施形態に係る水流抵抗面１７を有する水流抵抗板１２を示す正面図であり、水流抵抗板１２の長手方向の中心線５０にライン孔４２を備え一端にライン孔入口８３をもう一端にライン孔出口３９を有し、中心線５０を対称軸とする線対称で水流抵抗面１７に水流抵抗抜き孔７及び７１を貫通させて備えてある。【００２４】図５は本考案の第５の実施形態に係る水流抵抗面１８を有する水流抵抗板１３を示す正面図であり、水流抵抗板１３の長手方向の中心線６０にライン孔５２を備え一端には水流抵抗抜き凹部３１を備え、中心線６０と弾性ゴム止着孔４１の中心線が重なるように弾性ゴム止着孔４１を水流抵抗面１８に貫通させて備え、ライン孔５２には水流抵抗抜き凹部３１にライン孔入口８４及び水流抵抗板１３のもう一端にライン孔出口４９を備えてあり、矢印Ａは釣り竿方向で矢印Ａ方向から延びたライン５がライン孔入口８４から挿入され、弾性ゴム止着孔４１でライン５は弾性ゴム６に止着されライン孔出口４９から出たライン５は矢印Ｂ方向の疑似餌に結着される。【００２５】図６は図５で示す本考案の第５の実施形態に係る水流抵抗板１３のライン５及び弾力ゴム６を除いた斜視図で水流抵抗面１８を有する水流抵抗板１３の長手方向の中心線６０にライン孔５２を備え一端には水流抵抗抜き凹部３１を備え、中心線６０と弾性ゴム止着孔４１の中心線が重なるように弾性ゴム止着孔４１を水流抵抗面１８に貫通させて備え、ライン孔５２には水流抵抗抜き凹部３１にライン孔入口８４及び水流抵抗板１３のもう一端にライン孔出口４９を備えてある。
【産業上の利用可能性】
【００２６】本考案の水流抵抗板は浮上困難な金属等を多く使用した重量物である疑似餌などを浮上させることに利用でき、広範囲な魚釣りが可能となる。
【符号の説明】
【００２７】１、１０、１１、１２、１３・・・水流抵抗板
２、２２、３２、４２、５２・・・ライン孔
３、３１・・・水流抵抗抜き凹部
４、４１・・・弾性ゴム止着孔
５・・・ライン
６・・・弾性ゴム
７、７１・・・水流抵抗抜き孔
８，８１，８２、８３、８４・・・ライン孔入口
９、１９、２９、３９、４９・・・ライン孔出口
１４，１５，１６，１７，１８・・・水流抵抗面
２０，３０，４０，５０，６０・・・中心線
Ａ・・・釣竿方向
Ｂ・・・疑似餌方向
【図１】
0003189501.tif 000003
【図２】
0003189501.tif 000004
【図３】
0003189501.tif 000005
【図４】
0003189501.tif 000006
【図５】
0003189501.tif 000007
【図６】
0003189501.tif 000008